(57)【要約】【課題】商品収納ラックの引出し操作とロック機構の解除操作をワンアクションで行うことが可能な自動販売機を提供すること。【解決手段】本体キャビネットの庫内に格納された商品収納ラック４０を把手４２の操作により引出して商品を補充してなる自動販売機であって、前記本体キャビネットの庫内に格納された商品収納ラック４０をロックするところの、レール１１に形成した係合片１０ａとロック金具４９からなるロック機構４８を備えた自動販売機において、前記商品収納ラック４０に引き起こし自在に取付けられた把手４２ロック機構４８のロック金具４９とを、偏心カム４４とスライド板４６を介して連係させ、把手４２を引き起こし動作により偏心カム４４、およびスライド板４６を介してロック金具４９を回転させることによりロック機構４８のロックを解除するようにし、把手４２を引き起こすワンアクションによりロック機構４８の解除操作を商品収納ラック４０の引出し操作を可能とする。【選択図】      図１
2006119789.tif 000002
【特許請求の範囲】
【請求項１】
前面が開口した本体キャビネットと、前記本体キャビネットの庫内に引出し自在に格納された商品収納ラックと、前記本体キャビネットの庫内に格納された商品収納ラックをロックするロック機構と、前記商品収納ラックに設けた把手とを備え、前記ロック機構を解除して把手により引出された商品収納ラックに商品を補充してなる自動販売機において、
前記把手は商品収納ラックに引き起こし自在に取付けられ、前記把手の引き起こし動作によりロック機構を解除するように把手とロック機構を連係させたことを特徴とする自動販売機の商品収納ラック。
【請求項２】
請求項１記載の自動販売機において、把手は常時自重により垂下した状態となるように商品収納ラックに上下方向に回動自在に取付けられ、ロック機構はロック金具の自由端が本体キャビネットに形成された係合部材と係合・離脱するようにその一端を商品収納ラックに回動自在に取付けられ、前記把手と前記ロック金具とがスライダを介して連係されていることを特徴とする自動販売機の商品収納ラック。
【請求項３】
請求項２記載の自動販売機において、スライダは把手に直結して取付けられるとともにロック金具と水平方向の長孔を介して連結されていることを特徴とする自動販売機の商品収納ラック。
【発明の詳細な説明】
【技術分野】
【０００１】
この発明は、本体キャビネットの庫内に商品収納ラックが引出し自在に収納され、前記商品収納ラックを庫内から引出した状態で紙パック，缶，瓶，ペットボトルなどの各種商品を補充するようにした自動販売機の商品収納ラックに関する。
【背景技術】
【０００２】
自動販売機に搭載される商品収納ラックに紙パック，缶，瓶，ペットボトルなどの各種商品を収納する商品収納ラックとして直積式商品収納ラックが周知であり、この種の直積式商品収納ラックの構成を図５に示す。図において、１は前面が開口した箱形の断熱筐体としてなる自動販売機の本体キャビネットであり、該本体キャビネット１にはその前面開口を閉塞する片開き式の外扉２が取付けられている。前記本体キャビネット１の庫内は、仕切壁１ａにより左右に並ぶ複数の商品収納室（この例では２室）に仕切られており、各商品収納室ごとに直積式商品収納ラック４、商品搬出シュータ５および冷却／加熱ユニット（不図示）が上下方向に収設されている。なお、３は庫内前面を閉塞する内扉、３ａは前記商品搬出シュータ５と商品取出口２ａを連係して内扉３に開口したフラッパ付きの商品搬出口、６は商品収納室内の冷却ユニットと冷凍サイクルを構成する凝縮器，圧縮機などを収納した機械室であり、前記外扉２の前面には、周知のように、硬貨投入口，紙幣投入口，金銭返却レバー，釣銭返却口，商品取出口，ロック付きハンドルなどが設けられている。
【０００３】
前記直積式商品収納ラック４の構成を図６に示し、図６は直積式商品収納ラック４を右斜め上面より見た斜視図である。図において、直積式商品収納ラック４は、一側面（右側面）および底面を開放した箱型のラックケース４ａの内部に仕切部４ｂを挟んで前後に商品収納コラム４ｃを画成し、仕切部４ｂの下部にベンド機構７を組付けて構成され、各商品収納コラム４ｃの開放面には積み重ねて収納された商品の脱落を防止する扉（不図示）を備えている。また、ベンド機構７は周知のように下部フラッパ７ａおよび上部フラッパ７ｂを備え、不図示のベンドモータにより下部フラッパ７ａおよび上部フラッパ７ｂを選択的に制御して各商品収納コラム４ｃに収納された商品を個別に搬出するように構成されている。
【０００４】
図５に示すように前記直積式商品収納ラック４は本体キャビネット１の庫内に引出し自在に格納されている。すなわち、既に公知であり良く知られているように、本体キャビネット１の庫内天井にはレールが固定され、一方、直積式商品収納ラック４の上端には前記レールに摺動自在に結合されたスライダが固定され、直積式商品収納ラック４に設けた把手を引っ張ることにより直積式商品収納ラック４を庫内から引出すことができる。前記直積式商品収納ラック４への各種商品の補充は、前記庫内から直積式商品収納ラック４を引出した上で各商品収納コラム４ｃの開放面を閉塞している扉を開放し、この状態で商品、図示例では紙パック商品８ａ，缶８ｂを各コラム４ｃに装填して積み上げ収納する。
【０００５】
ここで、前記直積式商品収納ラック４は本体キャビネット１の庫内に引出し自在に格納されていることから、直積式商品収納ラック４が振動などにより飛び出さないように直積式商品収納ラック４を本体キャビネット１の庫内に格納した状態でロックするロック機構が設けられている（例えば、特許文献１）。
【特許文献１】特開平１０−２４７２８０号公報
【発明の開示】
【発明が解決しようとする課題】
【０００６】
前述したように直積式商品収納ラック４を本体キャビネット１の庫内に格納した状態でロックするロック機構を備えている場合、商品の補充を行う際にロック機構を解除して直積式商品収納ラック４を引出す必要がある。ところで、従来の自動販売機におけるロック機構は直積式商品収納ラック４を引出すための把手とは離れた位置に設けられているため、オペレーターが商品補充の際に一方の手でロック機構によるロックを解除しつつ他方の手で直積式商品収納ラック４を引出さねばならず作業効率が悪かった。この作業効率を改善するために前記特許文献１では直積式商品収納ラック４を引出すための把手の近傍にロック解除部材を設け、把手を持つ手でロック解除部材を操作しつつ直積式商品収納ラック４を引出すように構成されている。しかしながら、やはり直積式商品収納ラック４の引出し操作とは別個にオペレーターがロック解除操作を行わねばならず、二つのアクションを必要とするものである。
【０００７】
そこで、本発明は前述した実情にかんがみて、商品収納ラックの引出し操作とロック機構の解除操作をワンアクションで行うことが可能な自動販売機を提供すること目的とする。
【課題を解決するための手段】
【０００８】
上述の目的を達成するために、この発明の請求項１にかかる自動販売機においては、前面が開口した本体キャビネットと、前記本体キャビネットの庫内に引出し自在に格納された商品収納ラックと、前記本体キャビネットの庫内に格納された商品収納ラックをロックするロック機構と、前記商品収納ラックに設けた把手とを備え、前記ロック機構を解除して把手により引出された商品収納ラックに商品を補充してなる自動販売機において、前記把手は商品収納ラックに引き起こし自在に取付けられ、前記把手の引き起こし動作によりロック機構を解除するように把手とロック機構を連係させたことを特徴とする。
また、本発明の請求項２に係る自動販売機のヒンジ装置においては、請求項１記載の自動販売機において、把手は常時自重により垂下した状態となるように商品収納ラックに上下方向に回動自在に取付けられ、ロック機構はロック金具の自由端が本体キャビネットに形成された係合部材と係合・離脱するようにその一端を商品収納ラックに回動自在に取付けられ、前記把手と前記ロック金具とがスライダを介して連係されていることを特徴とする。
【０００９】
また、本発明の請求項３に係る自動販売機のヒンジ装置においては、前述した請求項２記載の自動販売機において、スライダは把手に直結して取付けられるとともにロック金具と水平方向の長孔を介して連結されていることを特徴とする。
【発明の効果】
【００１０】
本発明によれば、前面が開口した本体キャビネットと、前記本体キャビネットの庫内に引出し自在に格納された商品収納ラックと、前記本体キャビネットの庫内に格納された商品収納ラックをロックするロック機構と、前記商品収納ラックに設けた把手とを備え、前記ロック機構を解除して把手により引出された商品収納ラックに商品を補充してなる自動販売機において、前記把手は商品収納ラックに引き起こし自在に取付けられ、前記把手の引き起こし動作によりロック機構を解除するように取っ手とロック機構を連係させたことにより、商品収納ラックに設けた把手の引き起こしに連動してロック機構を解除することができる。従って、商品収納ラックを引出す一連の操作によりロック解除を行うことが可能である。
【００１１】
この場合、請求項２，３に記載したように構成することによって簡単な構成で把手の回動運動をロック機構に伝達することができる。
【発明を実施するための最良の形態】
【００１２】
以下、添付図面を参照して本発明に係る自動販売機における商品収納ラックの実施の形態を説明する。図１は本発明の実施対象となる自動販売機における商品収納ラックを示し、（ａ）および（ｂ）はそれぞれ商品収納ラックの正面図であり、（ｃ）は把手とロック機構との連係を説明するための要部斜視図である。
なお、本発明の実施対象となる自動販売機は、図５に示したとおり、前面が開口した箱形の断熱筐体としてなる自動販売機の本体キャビネット１の前面開口を閉塞する片開き式の外扉２が取付けられ、前記本体キャビネット１の庫内には、仕切壁１ａにより左右に並ぶ複数の商品収納室に仕切られており、各商品収納室ごとに直積式商品収納ラック４、商品搬出シュータ５および冷却／加熱ユニット（不図示）が上下方向に収設され、そして、庫内前面を閉塞する内扉３を有するものである。
【００１３】
図１において、４０は本発明の実施対象となる自動販売機の商品収納ラックであり、図６に示した直積式商品収納ラックと同様の構成をなしており、図６では右側面が開放しているのに対し、図１（ａ）および（ｂ）では左側面が開放している。前記商品収納ラック４０の天井面には、不図示の本体キャビネットの庫内天井に固定された前後方向に延びるレール１０に対向してスライドレール１１が固着され、スライドレール１１にはレール１０上を転動するローラ１２が取付けられており、前記レール１０，スライドレール１１，ローラ１２によりスライド機構を形成しており、このスライド機構により商品収納ラック４０は庫内に格納された状態から引出し可能に配設されている。そして、前記商品収納ラック４０のラックケース４０ａの正面側壁面には把手４２、偏心カム４４、スライド板４６、ロック機構４８、および取付金具５０が設けられている。なお、商品収納ラック４０を構成するラックケース４０ａの前後両端の開放端部は外側に折り返して四角枠状の補強部４０ｄが形成されている。また、４０ｅはラックケース４０ａの開放面を閉塞する扉である。
【００１４】
前記取付金具５０の構成を図２に示し、（ａ）は取付金具の正面図、（ｂ）は一部切欠左側面図、（ｃ）は左斜め上方から見た斜視図である。図２に示すように前記取付金具５０はラックケース４０ａの正面から側面に回り込むように折り曲げて形成された正面板５１、および側面板５２からなり、正面板５１の上下両縁における中央部分にはそれぞれ上部脚部５１ａ、および下部脚部５１ｂが形成されており、上部脚部５１ａ，５１ｂの高さはラックケース４０ａの四角枠状補強部４０ｄ（図１参照）の高さに略一致している。また、上部脚部５１ａが取付金具５０の上縁に沿って折り曲げられているのに対し、下部脚部５１ｂは後述する把手４２の厚み分だけ外方に張り出して形成した把手保持部５１ｃに沿って折り曲げられている。そして、下部脚部５１ｂの左右両端には差込片５１b1，５１b2が形成され、この差込片５１b1，５１b2はラックケース４０ａに形成された不図示の係合孔に差し込まれる。前記把手保持部５１ｃに近接して軸受片５１ｅ，５１ｅが背面側に切り起して形成され、また、図２の（ａ）において、左側の軸受片５１ｅの上方にも背面側に切り起した保持片５１ｆが形成されるとともに左端には上下２個のねじ穴５１ｇ，５１ｇが形成されている。さらに、取付金具５０の側面板５２における後端部にはラックケース４０ａの厚さ分だけ段差を付けて形成された係合片５２ａが形成され、この係合片５２ａはラックケース４０ａに形成された不図示の係合穴に差し込まれる。なお、５１ｈは偏心カム４４を取付ける段付きねじ５３が貫通する取付穴である。
【００１５】
図１に示した把手４２は引手部４２ａの左右両脚から内側に折り曲げられた軸部４２ｂ，４２ｂを備え、前記軸部４２ｂ，４２ｂを取付金具５０の把手保持部５１ｃ（図２参照）に取付けることにより当該軸部４２ｂ，４２ｂを中心に回転可能に軸支される。前記把手４２の近傍であって取付金具５０の背面に配置された偏心カム４４は図３に示すように、段付きねじ５３（図１参照）が固着されるねじ穴４４ａが形成されるとともに下端には溝部４４ｂが形成されており、ねじ穴４４ａを有する上部から溝部４４ｂに向かって傾斜した当接部４４ｃが形成されている。前記偏心カム４４の溝部４４ｂには図１に示したスライド板４６の下端が遊嵌される。前記スライド板４６は短冊状に形成されるとともに長辺側の縁に沿って補強片４６ａが形成され、上端部には段付きねじ５５が貫通する水平方向の長穴４６ｂが形成されている。ラックケース４０ａの前面上部に配設されたロック機構４８はレール１０の前端に形成した係合片１０ａと、ラックケース４０ａの前面に垂直に起立した取付片４０ｂに段付きねじ５４により回転自在に軸支されたロック金具４９とからなる。前記ロック金具４９は一端が前記段付きねじ５４によりラックケース４０の取付片４０ｂに軸支され、自由端側が段付きねじ５５によりスライド板４６に連結されている。また、ロック金具４９は自由端側に上方に向かって起立し、正面から見て曲金状に形成されるとともに先端が後方に折り曲げられた係止突起４９ａが形成されている。前記係止突起４９ａの後方に折り曲げられた箇所から下方に垂直に延在する部分は係合片１０ａとの係止片４９a1として形成され、当該係止片４９a1の下端から後方へ向かうにしたがって漸次上昇する傾斜面４９ｂが形成されている。
【００１６】
次に把手４２などの組付けについて説明する。まず、把手４２の軸部４２ｂ，４２ｂを取付金具５０の把手保持部５１ｃ（図２参照）に取付ける。すなわち、図２の（ｂ）に示したように、取付金具５０の把手保持部５１ｃ、下部脚部５１ｂ、および軸受片５１ｅに囲まれた空間の背後から把手４２の軸部４２ｂ，４２ｂを嵌め込む。この状態で取付金具５０の側面板５２に形成した係合片５２ａをラックケース４０ａに形成した不図示の係合穴に差し込む。この場合、前記係合穴の大きさは、その幅および長さが取付金具５０の厚さおよび係合片５２ａの長さよりも僅かに大きく形成されているので、取付金具５０の側面板５２がラックケース４０ａの側面に対して垂直になるように立てた状態で係合片５２ａを係合穴に差し込み、次いで側面板５２をラックケース４０ａの側面に沿わせるように傾倒させる。このとき、係合片５２ａはラックケース４０ａの厚み分の段差をもって側面板５２に形成されているので、係合片５２ａがラックケース４０ａの内部に入り込むとともに側面板５２がラックケース４０ａの側面に密着する。次いで、取付金具５０の正面板５１における下部脚部５１ｂに形成された差込片５１b1，５１b2をラックケース４０ａに形成された不図示の係合孔に差し込む。そして、取付金具５０における正面板５１の左端をラックケース４０ａに形成した四角枠状の補強部４０ｄ（図１参照）にねじ穴５１ｇ，５１ｇを介してねじ止めする。これにより、図２の（ｂ）に示したところの、取付金具５０の把手保持部５１ｃ、下部脚部５１ｂ、および軸受片５１ｅに囲まれた空間の背後がラックケース４０ａにより塞がれるので、把手４２が取付金具５０の把手保持部５１ｃに軸支される。前述のようにラックケース４０ａに固定された取付金具５０の正面板５１とラックケース４０ａとの間には所定の間隙を有し、また、正面板５１の上部脚部５１ａ、および下部脚部５１ｂの左右には隙間が形成されているので、図１における把手４２の左脚の側方から偏心カム４４を挿入し、偏心カム４４を段付きねじ５３により取付ける。このとき、偏心カム４４の当接部４４ｃが取付金具５０の軸受片５１ｅに当接して図１に示す垂下状態に保持される。そして、スライド板４６をラックケース４０ａの四角枠状の補強部４０ｄと取付金具５０の上部脚部５１ａとの間の隙間から差し込み、スライド板４６の下端を偏心カム４４の溝部４４ｂ（図３参照）に嵌め込む。このとき、スライド板４６は溝部４４ｂに遊嵌されるとともに保持片５１ｆによってガイドされる。次いで、スライド板４６の上端に形成した水平方向の長穴４６ｂを介して段付きねじ５５をロック金具４９の自由端に固着する。
【００１７】
次に図１に示す実施の形態の動作について説明する。図１の（ａ）に示すように、商品収納ラック４０が庫内に格納されるとともに把手４２が垂下した状態ではスライド板４６が下降しており、ロック機構４８を構成するロック金具４９の係止突起４９ａがレール１０に形成した係合片１０ａの背後に位置し、前記係合片１０ａと係止突起４９ａの係合片４９a1とが前後方向に重なり合っている。この状態で商品収納ラック４０が前方への移動しようとした場合、ロック金具４９の係止片４９a1が係合片１０ａに衝突して商品収納ラック４０の前方への移動を阻止する。したがって、図１の（ａ）に示す状態ではロック機構４８が商品収納ラック４０を庫内に格納した状態にロックしている。
【００１８】
前述したロック機構４８によるロックを解除して商品収納ラック４０を庫内から引出すには、図１の（ｃ）に示すように、先ず垂下した状態の把手４２を引き起こす。垂下状態にある把手４２の引手４２ａに手を掛けて把手４２をラックケース４０ａの正面壁に対して垂直になるよう引き起こす途中において、把手４２の左脚が偏心カム４４の当接部４４ｃに当接し、偏心カム４４が段付きねじ５３を中心に時計方向に回転する。偏心カム４４の時計方向への回動により偏心カム４４の溝部４４ｂにその下端が遊嵌されたスライド板４６が上昇し、このスイラド板４６の上昇に伴ってロック金具４９が段付きねじ５４を中心に時計方向に回転する。このロック金具４９の回転により段付きねじ５５も移動し、その軌跡は段付きねじ５４を中心とする円弧上を移動するが、スライド板４６の段付きねじ５５との結合部には水平方向の長穴４６ｂが形成されているので、ロック金具４９の回転に対してスライド板４６は垂直状態を維持したまま上昇する。引き起こされた把手４２がラックケース４０ａの正面壁に対して垂直となる直前にロック金具４９の係止突起４９ａに形成した係止片４９a1は係合片１０ａとの係合が解除される。この状態を図１の（ｂ）に示しており、垂下した状態の把手４２を破線で示している。そして、把手４２をラックケース４０ａの正面壁に対して垂直となるよう引き起こした状態で把手４２を手前に引っ張ることによりラックケース４０ａ、すなわち、商品収納ラック４０が庫内から引出される。
前述したように庫内から引出された商品収納ラックを庫内に格納するには、商品収納ラク４０ａを庫内に押込む。このとき、把手４２は垂下した状態にあるので、スライド板４４が下降してロック金具４９が図１の（ａ）に示す位置、すなわち、ロック金具４９の係止突起４９ａに形成した係止片４９a1が係合片１０ａと前後方向（水平方向）に重なる位置にある。したがって、ラックケース４０ａが庫内に完全に押込まれる直前にロック金具４９の係止片４９a1が係合片１０ａに当接することになるが、係止片４９a1にはその下端から後方へ向かうにしたがって漸次上昇する傾斜面４９ｂが形成されていることから、係合片１０ａに傾斜面４９ｂが当接してロック金具４９が段付きねじ５４を中心に時計方向に回転する。前記傾斜面４９ｂが係合片１０ａを乗り越えるとロック金具４９が反時計方向に回転して係止片４９a1が係合片１０ａの背面に位置するようになる。このとき、商品収納ラック４０は庫内に完全に格納された状態となり、図１の（ａ）に示すように、ロック機構４８が商品収納ラック４０を庫内に格納した状態にロックする。
【００１９】
次に、本発明の異なる実施の形態を図４を用いて説明する。図４は本発明の異なる実施の形態の自動販売機における商品収納ラックを示し、（ａ）および（ｂ）はそれぞれ商品収納ラックの正面図であり、（ｃ）は把手とロック機構との連係を説明するための要部斜視図である。示す本体キャビネットの要部平面図であり、図１と同一の機能を有するものには同一の符号を付している。
【００２０】
この図４に示す実施の形態が図１に示す実施の形態と異なる点は、図１に示す実施の形態では偏心カム４４を介して把手４２とスライド板４６とを連結しているのに対し、図４に示す実施の形態では把手４２によりスライド板４６を直接駆動するようにしている点であり、その他の構成は図１に示す実施の形態と同一であるので、以下、図１に示す実施の形態と異なる点について説明する。
【００２１】
図４において、６０は取付基台であり、７０はカバーである。前記取付基台６０は鋼板により短冊状に形成されるとともにそれぞれの長辺側の縁に沿って折り曲げて側壁６０ａが形成されている。前記側壁６０ａにより断面コ字状に形成された取付基台６０は、コ字状の開放端が正面を向くように上下両端をねじによりラックケース４０ａに密着して固定されている。なお、前記側壁６０ａは曲げ加工により上端を折り返して所謂ダブルホールドとして補強されている。また、取付基台６０の側壁６０ａには把手４２の軸部４２ｂ，４２ｂが貫通する軸穴（不図示）が形成されるとともにコ字状の底面部に前記軸部４２ｂ，４２ｂに対応する逃し溝（不図示）が形成されている。すなわち、取付基台６０をラックケース４０ａに固定する前に、把手４２の軸部４２ｂ，４２ｂを前記逃し溝を通して側壁６０ａの軸穴に嵌め込み、この状態で取付基台６０をラックケース４０ａに固定することにより把手４２がラックケース４０ａに一体的に取付けられる。ラックケース４０ａに固定された取付基台６０に沿ってスライド板４６が配置され、スライド板４６を段付きねじ５５によりロック金具４９に連結される。この場合、スライド板４６の補強片４６ａが取付金具６０の一方の側壁６０ａ（図では左側の側壁であるが、これはスライド板４６に隠れて見えな）を跨ぐように配置され、取付金具６０の一方の側壁６０ａをスライド板４６が昇降する際のガイドとして兼用している。
一方、前記カバー７０は薄鋼板により断面コ字状に形成され、蓋を被せるように取付金具６０とスライド板４６を覆うものである。このカバー７０には把手４２の一方の脚（左脚）が通過可能な溝７０ａが形成されており、また、コ字状の一方の脚片（図では右側の脚片）には把手４２の軸部４２ｂが挿通される溝（不図示）が形成されている。そして、カバー７０の上縁における取付金具６０に対応する位置には取付金具６０の底面に向かって折り曲げられるとともに先端が取付金具６０の底面に沿うように折り曲げられた取付片７０ｂが形成され、この取付片７０ｂをねじ止めすることによりカバー７０がラックケース４０ａに固着される。
図４に示す実施の形態においては、図４の（ａ）に示すように、把手４２が垂下した状態でスライド板４６の下端が把手４２の脚（左脚）に重なるように定められている。スライド板４６の下降停止位置はロック金具４９の反時計方向への回転を図４の（ａ）に示す位置で停止させるストッパを設けて段付きねじ５５にスライド板４６を吊り下げるか、またはカバー７０にスライド板４６の下端と当接して停止させるストッパを設けることができる。したがって、図４の（ａ）に示す状態ではスライド板４６が下降してロック機構４８が商品収納ラック４０を庫内に格納した状態にロックしている。そして、（ｂ）に示すように把手４２を引き起こすと把手４２の脚（左脚）がスライド板４６の下端に直接当接してスライド板４６を上昇させる。スライド板４６が上昇した後の動作は図１に示す実施の形態の動作と同一であるので、重複する説明は省略するが、前記スライド板４６の上昇によってロック機構４８によるロックが解除され、これにより商品収納ラック４０を庫内から引出すことができる。
前述したとおり、この発明においては、自動販売機における本体キャビネットの庫内に引出し自在に格納された商品収納ラック４０と、前記本体キャビネットの庫内に格納された商品収納ラック４０をロックするロック機構４８と、前記商品収納ラック４０に設けた把手４２とを備え、前記ロック機構４８を解除して把手４２により引出された商品収納ラック４０に商品を補充してなる自動販売機において、前記把手４２は商品収納ラック４０に引き起こし自在に取付けられ、前記把手４２の引き起こし動作によりロック機構４８を解除するように把手４２とロック機構４８を連係させたことにより、把手４２を引き起こすワンアクションによりロック機構４８を解除することができる。  
【図面の簡単な説明】
【００２２】
【図１】この発明の実施の形態にかかる自動販売機における商品収納ラックを示し、（ａ）および（ｂ）はそれぞれ商品収納ラックの正面図であり、（ｃ）は把手とロック機構との連係を説明するための要部斜視図である。
【００２３】
【図２】図１の取付金具を示し、（ａ）はその正面図、（ｂ）は一部切欠左側面図、（ｃ）は左斜め上から見た斜視図である。
【００２４】
【図３】図１の偏心カムを示す斜視図である。
【００２５】
【図４】この発明の異なる実施の形態にかかる自動販売機における商品収納ラックを示し、（ａ）および（ｂ）はそれぞれ商品収納ラックの正面図であり、（ｃ）は把手とロック機構との連係を説明するための要部斜視図である。
【００２６】
【図５】本発明の実施対象の一つである直積式商品収納ラックを備えた自動販売機のメインドア開放状態を示す斜視図である。
【００２７】
【図６】従来の直積式商品収納ラックの斜視図である。
【符号の説明】
【００２８】
１        本体キャビネット
２        外扉
１０      レール
１０ａ      係合片
４０        商品収納ラック
４０ａ        ラックケース
４２        把手
４４        偏心カム
４６        スライド板
４８        ロック機構  ４９        ロック金具
４９ａ        係合突起
４９a1        係止片
４９ｂ        傾斜面
６０        取付金具
７０        カバー
【図１】
2006119789.tif 000003
【図２】
2006119789.tif 000004
【図３】
2006119789.tif 000005
【図４】
2006119789.tif 000006
【図５】
2006119789.tif 000007
【図６】
2006119789.tif 000008